(57)【要約】【課題】温水を熱源機１の熱交換器５と暖房放熱器２との間に循環させる循環路にシスターン７と循環ポンプとを介設し、試運転に際し、シスターンを介して循環路に給水しつつ循環ポンプを駆動して、循環路内の空気を脱気する脱気運転を行う温水暖房システムであって、循環路は、熱交換器とシスターンとの間の第１循環路８と、シスターンと暖房放熱器との間の第２循環路９とに分割され、循環ポンプとして、第１循環路に温水を循環させる第１循環ポンプ１０と、第２循環路に温水を循環させる第２循環ポンプ１１とを備えるものにおいて、第１と第２の各循環路の脱気を良好に行い得られるようにする。【解決手段】第２循環ポンプ１１の駆動で第２循環路９内の空気を脱気する第２循環路の脱気運転完了後に、第１循環ポンプ１０の駆動で第１循環路８内の空気を脱気する第１循環路の脱気運転を行う。【選択図】図１
2006329541.tif 000002
【特許請求の範囲】
【請求項１】
バーナで加熱される熱交換器を有する熱源機と、暖房放熱器と、温水を熱交換器と暖房放熱器との間に循環させる循環路とを備え、循環路にシスターンと循環ポンプとを介設し、試運転に際し、シスターンを介して循環路に給水しつつ循環ポンプを駆動して、循環路内の空気を脱気する脱気運転を行う温水暖房システムであって、
循環路は、熱交換器とシスターンとの間の第１循環路と、シスターンと暖房放熱器との間の第２循環路とに分割され、循環ポンプとして、第１循環路に温水を循環させる第１循環ポンプと、第２循環路に温水を循環させる第２循環ポンプとを備えるものにおいて、
脱気運転は、第１循環ポンプの駆動で第１循環路内の空気を脱気する第１循環路の脱気運転と、第２循環ポンプの駆動で第２循環路内の空気を脱気する第２循環路の脱気運転とに分けられ、
第１循環路と第２循環路との一方の循環路の脱気運転完了後に他方の循環路の脱気運転を行わせる制御手段を備えることを特徴とする温水暖房システム。
【請求項２】
前記制御手段は、前記第２循環路の脱気運転の完了後に前記第１循環路の脱気運転を行わせるように構成されていることを特徴とする請求項１記載の温水暖房システム。
【発明の詳細な説明】
【技術分野】
【０００１】
本発明は、バーナで加熱される熱交換器を有する熱源機と、暖房放熱器と、熱交換器と暖房放熱器との間に温水を循環させる循環路とを備える温水暖房システムに関する。
【背景技術】
【０００２】
従来、この種の温水暖房システムにおいては、循環路を、熱交換器で加熱された温水を暖房放熱器に送る往き通路と、暖房放熱器を通過した温水を熱交換器に戻す戻り通路とで構成し、戻り通路にシスターンと循環ポンプとを介設している。そして、試運転に際し、シスターンを介して循環路に給水しつつ循環ポンプを駆動して、循環路内の空気を脱気する脱気運転を行うようにしている(例えば、特許文献１参照)。
【０００３】
ところで、最近は、家庭に設置する暖房放熱器の台数が多くなっており、循環路における温水の循環流量も大きくすることが必要になっている。ここで、通過抵抗の大きい熱交換器を経由して大流量の温水を循環路に循環させるには、循環ポンプとして高揚程のポンプを用いることが必要になる。然し、高揚程の循環ポンプで循環路における所定の循環流量を確保しようとすると、通過抵抗の大きい熱交換器にかなりの圧力がかかり、熱交換器の耐圧性の点で問題を生ずる。また、熱交換器では流路面積が絞られ、所要の循環流量を確保しようとすると、熱交換器内の流速が非常に速くなり、エロージョン現象を生じて、熱交換器の耐久性が悪化する。従って、熱交換器の耐圧性、耐久性を確保する上で、循環路における温水の循環流量を十分に大きくすることは困難である。
【０００４】
そこで、本願出願人は、先に特願２００４−２４７１４７により、循環路を、熱交換器とシスターンとの間の第１循環路と、シスターンと暖房放熱器との間の第２循環路とに分割し、循環ポンプとして、第１循環路に温水を循環させる第１循環ポンプと、第２循環路に温水を循環させる第２循環ポンプとを備える温水暖房システムを出願している。これによれば、熱交換器に対する温水の循環流量は第１循環ポンプの流量で決まり、暖房放熱器に対する温水の循環流量は第２循環ポンプの流量で決まる。即ち、熱交換器に対する循環流量と暖房放熱器に対する循環流量とを個別に決定できるようになり、暖房放熱器に対する循環流量を大きくしても、熱交換器に対する循環流量を比較的小さくして、熱交換器の耐圧性、耐久性に悪影響を与えないようにすることができる。
【０００５】
然し、この先願の温水暖房システムでは、試運転に際し、シスターンを介して第１と第２の両循環路に給水しつつ第１と第２の両循環ポンプを駆動しても、第１と第２の各循環路内の空気をうまく脱気できない、という不具合を生ずる。その原因は、鋭意努力の結果、第１と第２の両循環路の一方からシスターンに押し出された空気が他方の循環路に再吸引され、空気が系外に抜けにくくなるためである、と判明した。
【特許文献１】特開昭６３−７５４２８号公報(第２，３頁、第１図、第４図)
【発明の開示】
【発明が解決しようとする課題】
【０００６】
本発明は、以上の点に鑑み、上記先願のものにおける第１と第２の各循環路の脱気を良好に行い得られるようにした温水暖房システムを提供することをその課題としている。
【課題を解決するための手段】
【０００７】
上記課題を解決するために、本発明は、バーナで加熱される熱交換器を有する熱源機と、暖房放熱器と、温水を熱交換器と暖房放熱器との間に循環させる循環路とを備え、循環路にシスターンと循環ポンプとを介設し、試運転に際し、シスターンを介して循環路に給水しつつ循環ポンプを駆動して、循環路内の空気を脱気する脱気運転を行う温水暖房システムであって、循環路は、熱交換器とシスターンとの間の第１循環路と、シスターンと暖房放熱器との間の第２循環路とに分割され、循環ポンプとして、第１循環路に温水を循環させる第１循環ポンプと、第２循環路に温水を循環させる第２循環ポンプとを備えるものにおいて、脱気運転は、第１循環ポンプの駆動で第１循環路内の空気を脱気する第１循環路の脱気運転と、第２循環ポンプの駆動で第２循環路内の空気を脱気する第２循環路の脱気運転とに分けられ、第１循環路と第２循環路との一方の循環路の脱気運転完了後に他方の循環路の脱気運転を行わせる制御手段を備えることを特徴とする。
【０００８】
本発明によれば、脱気運転時に第１と第２の両循環ポンプが同時に駆動されることはなく、そのため、第１循環路の脱気運転中に第１循環路からシスターンに押し出された空気が第２循環ポンプの吸引力により第２循環路に再吸引されたり、第２循環路の脱気運転中に第２循環路からシスターンに押し出された空気が第１循環ポンプの吸引力により第１循環路に再吸引されたりすることを防止できる。従って、第１と第２の各循環路内の空気がシスターンを介して系外に抜けやすくなり、各循環路の脱気を良好に行うことができる。
【０００９】
尚、暖房放熱器を含む第２循環路の総内容積は第１循環路に比し遥かに大きく、第２循環路の脱気運転中に第２循環路からシスターンに多量の空気が押し出され、その一部が第１循環路に侵入する可能性がある。ここで、第２循環路の脱気運転の完了後に第１循環路の脱気運転を行えば、第２循環路の脱気運転中に第２循環路から押し出された空気の一部が第１循環路に侵入しても、その後の第１循環路の脱気運転で第１循環路内に空気は残らなくなり、有利である。
【発明を実施するための最良の形態】
【００１０】
図１を参照して、１は熱源機であり、熱源機１で加熱された温水を床暖房パネルといった暖房放熱器２に循環させて暖房を行う温水暖房システムを構成している。熱源機１には燃焼筐３が設けられており、燃焼筐３内に、バーナ４と、バーナ４で加熱される熱交換器５とを収納している。燃焼筐３内には、燃焼ファン６により燃焼用空気が供給される。
【００１１】
バーナ４に燃料ガスを供給するガス通路４０には、ガス元弁４１とガス比例弁４２とが介設されている。また、バーナ４は複数の単位バーナ４ａで構成されている。そして、これら単位バーナ４ａを複数組に組み分けし、ガス通路４０をガス比例弁４２の下流側で単位バーナ４ａの各組毎に分岐し、各分岐路に単位バーナ４ａの各組に燃料ガスを供給する能力切換弁４３を介設している。かくして、これら能力切換弁４３の制御とガス比例弁４２の制御との組み合わせによりバーナ４の燃焼量を広範囲に可変できるようになる。
【００１２】
熱交換器５は、バーナ４の直上部に配置した主熱交換器５１と、主熱交換器５１を通過した燃焼排気が流れる排気通路に配置した副熱交換器５２とで構成され、主熱交換器５１の上流側に副熱交換器５２が直列に接続されている。副熱交換器５２では、燃焼排気中の水蒸気が凝縮して、潜熱が回収される。そして、凝縮水は、副熱交換器５２の直下に配置したドレン受け５２ａと中和器５２ｂとを介してドレンパイプ５２ｃから排水される。
【００１３】
また、熱源機１には、シスターン７が設けられている。そして、熱交換器５とシスターン７との間で第１循環路８を介して温水を循環させ、シスターン７と暖房放熱器２との間で第２循環路９を介して温水を循環させるようにしている。尚、第２循環路９には、複数の暖房放熱器２が夫々熱動弁等の通水弁２ａを介して並列に接続されており、各暖房放熱器２の運転スイッチがオンされたときに、該各暖房放熱器２にその通水弁２ａの開弁で温水が循環可能な状態になる。
【００１４】
ところで、暖房放熱器２の設置台数が多い場合、これら暖房放熱器２に対する湯水のトータル循環流量もかなり大きくする必要がある。ここで、熱交換器５と暖房放熱器２との間の循環路が本実施形態の如く第１循環路８と第２循環路９とに分割されておらず、暖房放熱器２に対する湯水の循環流量に等しい流量で熱交換器５に湯水が流れる場合、循環流量を大流量にすると熱交換器５の耐圧性、耐久性に悪影響が及ぶ。そのため、熱交換器５の耐圧性、耐久性を確保する上で暖房放熱器２に対する湯水のトータル循環流量は然程大きくできない。これに対し、本実施形態では、熱交換器５に対する湯水の循環流量（第１循環路８での湯水循環流量）と暖房放熱器２に対する湯水の循環流量（第２循環路９での湯水循環流量）とを個別に決定できるようになる。そのため、暖房放熱器２に対する湯水のトータル循環流量を大きくしても、熱交換器５に対する湯水の循環流量を比較的小さくして、熱交換器５の耐圧性、耐久性に悪影響を与えないようにすることができる。即ち、熱交換器５の耐圧性、耐久性による制限を受けることなく暖房放熱器２に対する湯水のトータル循環流量を大きくすることが可能になる。
【００１５】
以下、シスターン７と第１及び第２の循環路８，９について詳述する。シスターン７には、補水弁７１を介設した給水管７０を介して水が補給される。そして、シスターン７に低水位と高水位を検出する２つの水位電極７２、７３を付設し、これら水位電極７２，７３のオンオフ信号に基づいて後述する脱気運転の制御を行うようにしている。また、シスターン７には、水位が所定の上限レベルを超えることがないようにオーバーフロー管７４が接続されている。
【００１６】
第１循環路８は、熱交換器５（主熱交換器５１）を通過した温水をシスターン７に送る往き通路８ａと、シスターン７から熱交換器５（副熱交換器５２）に温水を戻す戻り通路８ｂとで構成され、戻り通路８ｂに第１循環ポンプ１０が介設されている。第２循環路９は、シスターン７から暖房放熱器２に温水を送る往き通路９ａと、暖房放熱器２からシスターン７に温水を戻す戻り通路９ｂとで構成され、往き通路９ａに第２循環ポンプ１１が介設されている。また、第２循環路９の往き通路９ａには、第２循環ポンプ１１の上流側と下流側を結ぶバイパス通路９ｃが設けられている。これによれば、第２循環ポンプ１１の運転中に何らかの異常で往き通路９ａから戻り通路９ｂへの温水の流れが遮断された場合にも、第２循環ポンプ１１にバイパス通路９ｃを介しての温水の循環で所要量の温水が流れ、第２循環ポンプ１１が保護される。尚、第１と第２の各循環ポンプ１０，１１は、ＤＣモータで駆動される流量可変式ポンプで構成されている。
【００１７】
シスターン７には、第２循環路９の戻り通路９ｂからシスターン７に戻された低温の温水が第２循環路９の往き通路９ａに短絡的に流れることを防止するため、第２循環路９の往き通路９ａの接続部と戻り通路９ｂの接続部との間に位置する邪魔板７５が設けられている。また、本実施形態では、第１循環路８の往き通路８ａの下流端と、第２循環路９の往き通路９ａの上流端とを合流させてシスターン７に接続している。そのため、第１循環路８での湯水循環流量より第２循環路９での湯水循環流量の方が大きい場合には、熱交換器５で加熱された温水の全てが、シスターン７を経由せずに、第１循環路８の往き通路８ａから第２循環路９の往き通路９ａを介して暖房放熱器２に供給され、熱交換器５により温水に加えられた熱量が効率良く暖房放熱器２に伝達される。第１循環路８での湯水循環流量より第２循環路９での湯水循環流量の方が小さい場合には、熱交換器５で加熱された温水のうち第２循環路９での湯水循環流量を上回る部分がシスターン７に流れ、熱交換器５により温水に加えられた熱量の一部がシスターン７に伝達される。その結果、熱交換器５に戻される温水の温度が上昇して、バーナ４の燃焼量が減少し、エネルギー効率は良好に維持される。尚、第１循環路８の往き通路８ａの下流端と第２循環路９の往き通路９ａの上流端とをシスターン７に個別に接続し、熱交換器５で加熱された温水をシスターン７を経由して第２循環路９の往き通路９ａに流すことも可能である。
【００１８】
また、第１循環路８の往き通路８ａには、熱交換器５から送り出される温水の温度を検出する第１循環路用温度センサ１２が設けられ、第２循環路９の往き通路９ａには、暖房放熱器５に供給される温水の温度を検出する第２循環路用温度センサ１３が設けられている。
【００１９】
熱源機１には制御手段たるコントローラ１４が設けられており、何れかの暖房放熱器２の運転スイッチがオンされたとき、コントローラ１４により第１と第２の両循環ポンプ１０，１１と燃焼ファン６とが駆動され、燃焼ファン６の回転を検知した後、ガス元弁４１が開弁されると共に、図示省略した点火プラグでの火花放電が行われて、バーナ４に点火される。このようにしてバーナ４の燃焼が開始されると、第２循環路用温度センサ１３の検出温度に基づくガス比例弁４２と能力切換弁４３との制御が行われ、第２循環路用温度センサ１３の検出温度が所定の設定温度に維持されるようにバーナ４の燃焼量が制御される。尚、運転初期は、第１循環ポンプ１０の回転数を低くし、第１循環路用温度センサ１２の検出温度が所定温度（例えば６０℃）以上になるように第１循環路８での温水循環流量を小さくする。これにより、主熱交換器５ａでの結露を防止できる。また、第２循環路９での温水循環流量が暖房放熱器２の運転台数に応じて変化するように第２循環ポンプ１１の回転数を制御し、暖房能力と省エネ性との両立を図る。
【００２０】
ところで、コントローラ１４には試運転スイッチ(図示せず)が付設されている。そして、温水暖房システムの設置後に試運転スイッチをオンすると、第１と第２の各循環路８，９にシスターン７を介して給水しつつ第１と第２の各循環ポンプ１０，１１を駆動して、第１と第２の各循環路８，９内の空気を脱気する脱気運転が行われる。コントローラ１４による脱気運転の制御は図２に示す通りであり、以下この制御について詳述する。
【００２１】
脱気運転制御では、先ず、Ｓ１のステップで全ての暖房放熱器２の通水弁２ａを開弁すると共に、Ｓ２のステップで補水弁７１を開弁し、次に、Ｓ３のステップで低水位電極７２がオン状態(低水位電極７２はシスターン７内の水位が低水位電極７２の下端以上の高さのときにオン状態になる)であるか否かを判別する。補水弁７１を介してのシスターン７への給水で低水位電極７２がオン状態になったときは、Ｓ４のステップで第２循環ポンプ１１を駆動し、次に、Ｓ６のステップで再び低水位電極７２がオン状態であるか否かを判別する。
【００２２】
第２循環ポンプ１１を駆動すると、シスターン７内の水が第２循環路９に送られ、当初はシスターン７内の水位が低下する。その結果、Ｓ６のステップで低水位電極７２がオン状態と判別されなくなり、この場合はＳ５のステップで第２循環ポンプ１１を停止した後Ｓ３のステップに戻り、Ｓ３のステップからＳ６のステップまでの処理が繰り返される。そして、第２循環ポンプ１１を駆動する度に第２循環路９内の空気がシスターン７に押し出され、第２循環路９が次第に水で満たされる。遂には、第２循環ポンプ１１を駆動してもシスターン７内の水位が殆ど低下しなくなり、Ｓ６のステップで低水位電極７２がオン状態と判別される。この場合は、Ｓ７のステップに進み、高水位電極７３がオン状態(高水位電極７３はシスターン７内の水位が高水位電極７３の下端以上の高さのときにオン状態になる)であるか否かを判別する。高水位電極７３がオン状態でなければＳ６のステップに戻り、高水位電極７３がオン状態になったときにＳ８のステップに進み、補水弁７１と全ての暖房放熱器２の通水弁２ａとを閉弁すると共に、第２循環ポンプ１１を停止し、第２循環路９の第１段階の脱気運転を完了する。
【００２３】
このように第２循環路９の第１段階の脱気運転を行うと、第２循環路９の往き通路９ａ及び戻り通路９ｂ内の空気は殆ど脱気されるが、各暖房放熱器２内に空気が残留する可能性がある。そこで、複数の暖房放熱器２に個別に通水して、各暖房放熱器２に残留する空気を完全に脱気する第２循環路９の第２段階の脱気運転を行う。
【００２４】
第２循環路９の第２段階の脱気運転では、先ず、Ｓ９のステップにおいて、予め定められた順番に従って選択される１つの暖房放熱器２の通水弁２ａを開弁し、次に、Ｓ１０のステップで低水位電極７２がオン状態であるか否かを判別する。低水位電極７２がオン状態でなければ、Ｓ１１のステップで補水弁７１を開弁してＳ１０のステップに戻る。低水位電極７２がオン状態であるときは、Ｓ１２のステップで第２循環ポンプ１１を駆動した後、Ｓ１４のステップで再び低水位電極７２がオン状態であるか否かを判別する。そして、低水位電極７２がオン状態でなければ、Ｓ１３のステップで第２循環ポンプ１１を停止した後、Ｓ１１のステップを経由してＳ１０のステップに戻る。また、Ｓ１４のステップで低水位電極７２がオン状態であると判別されたときは、Ｓ１６のステップに進んで高水位電極７３がオン状態であるか否かを判別し、高水位電極７３がオン状態でなければ、Ｓ１５のステップで補水弁７１を開弁してＳ１４のステップに戻る。
【００２５】
高水位電極７３がオン状態になったときは、Ｓ１７のステップで補水弁７１を閉弁してＳ１８のステップに進み、第２循環ポンプ１１の駆動開始から所定時間(例えば、１分)経過したか否かを判別する。そして、所定時間経過するまでは、Ｓ１０のステップに戻り、所定時間経過したとき、Ｓ１９のステップで第２循環ポンプ１１を停止する。次に、Ｓ２０のステップで第２循環ポンプ１１の停止から所定時間(例えば、１分)経過したか否かを判別し、第２循環ポンプ１１の停止から所定時間経過したときに、Ｓ２１のステップで初期値が零の第１カウンタ値Ｃ１に１を加算した後、Ｓ２２のステップで第１カウンタ値Ｃ１が５になったか否かを判別する。そして、Ｃ１＝５になるまでは、Ｓ１０のステップに戻って上記の処理を繰り返す。Ｃ１＝５になったときは、Ｓ２３のステップに進み、選択された暖房放熱器２の通水弁２ａを閉弁して、当該暖房放熱器２の脱気を完了する。次に、Ｓ２４のステップで全ての暖房放熱器２の脱気が完了したか否かを判別し、完了していなければ、Ｓ９のステップに戻って、次ぎに選択される１つの暖房放熱器２の通水弁２ａを開弁し、当該暖房放熱器２の脱気を開始する。
【００２６】
本実施形態では、各暖房放熱器２の脱気に際し、第２循環ポンプ１１を所定時間駆動して所定時間停止するという第２循環ポンプ１１の間歇運転が５回繰り返されることになる。そして、第２循環ポンプ１１の停止中に、シスターン７から空気が系外に抜けると共に、第２循環路９内の気泡が集合して、次ぎの第２循環ポンプ１１の駆動で気泡がシスターン７に押し出されやすくなり、第２循環ポンプ１１の間歇運転の繰り返しにより、選択された暖房放熱器２を含む第２循環路９内の空気が確実に脱気される。
【００２７】
Ｓ２４のステップで全ての暖房放熱器２の脱気が完了したと判別されると、即ち、第２循環路９の第２段階の脱気運転が完了したと判別されると、次に、第１循環路８の脱気運転が行われる。この脱気運転では、先ず、Ｓ２５のステップで低水位電極７２がオン状態であるか否かを判別する。低水位電極７２がオン状態でなければ、Ｓ２６のステップで補水弁７１を開弁してＳ２５のステップに戻る。低水位電極７２がオン状態であるときは、Ｓ２７のステップで第１循環ポンプ１０を駆動した後、Ｓ２９のステップで再び低水位電極７２がオン状態であるか否かを判別する。
【００２８】
ここで、第１循環ポンプ１０を駆動すると、シスターン７内の水が第１循環路８に送られ、当初はシスターン７内の水位が低下する。その結果、Ｓ２９のステップで低水位電極７２がオン状態と判別されなくなり、この場合はＳ２８のステップで第１循環ポンプ１０を停止した後、Ｓ２６のステップを経由してＳ２５のステップに戻り、Ｓ２５のステップからＳ２９のステップまでの処理が繰り返される。そして、第１循環ポンプ１０を駆動する度に第１循環路８内の空気がシスターン７に押し出され、第１循環路８が次第に水で満たされる。遂には、第１循環ポンプ１０を駆動してもシスターン７内の水位が殆ど低下しなくなり、Ｓ２９のステップで低水位電極７２がオン状態と判別される。この場合は、Ｓ３１のステップに進んで高水位電極７３がオン状態であるか否かを判別し、高水位電極７３がオン状態でなければ、Ｓ３０のステップで補水弁７１を開弁してＳ２９のステップに戻る。
【００２９】
高水位電極７３がオン状態になったときは、Ｓ３２のステップで補水弁７１を閉弁してＳ３３のステップに進み、第１循環ポンプ１０の駆動開始から所定時間(例えば、１分)経過したか否かを判別する。そして、所定時間経過するまでは、Ｓ２５のステップに戻り、所定時間経過したとき、Ｓ３４のステップで第１循環ポンプ１０を停止する。次に、Ｓ３５のステップで第１循環ポンプ１０の停止から所定時間(例えば、１分)経過したか否かを判別し、第１循環ポンプ１０の停止から所定時間経過したときに、Ｓ３６のステップで初期値が零の第２カウンタ値Ｃ２に１を加算した後、Ｓ３７のステップで第２カウンタ値Ｃ２が５になったか否かを判別する。そして、Ｃ２＝５になるまでは、Ｓ２５のステップに戻って上記の処理を繰り返し、Ｃ２＝５になったとき、脱気運転を完了する。
【００３０】
かくして、第１循環路８の脱気運転でも第１循環ポンプ１０を所定時間駆動して所定時間停止するという第１循環ポンプ１０の間歇運転が５回繰り返されることになり、第１循環路８内の空気が確実に脱気される。
【００３１】
ところで、補水弁７１の開弁によるシスターン７への給水により低水位電極７２がオン状態になったとき、第１と第２の両循環ポンプ１０，１１を共に駆動して、第１と第２の両循環路８，９の脱気運転を同時に行うことも考えられる。然し、これでは、第１と第２の両循環路８，９の一方からシスターン７に押し出された空気が他方の循環路に再吸引され、空気が系外に抜けにくくなって、各循環路８，９内の空気をうまく脱気できなくなる。これに対し、本実施形態では、脱気運転時に第１と第２の両循環ポンプ１０，１１が同時に駆動されることはなく、そのため、第１循環路８の脱気運転中に第１循環路８からシスターン７に押し出された空気が第２循環ポンプ１１の吸引力により第２循環路９に再吸引されたり、第２循環路９の脱気運転中に第２循環路９からシスターン７に押し出された空気が第１循環ポンプ１０の吸引力により第１循環路８に再吸引されたりすることを防止できる。従って、第１と第２の各循環路８，９内の空気がシスターン７を介して系外に抜けやすくなり、各循環路８，９の脱気を良好に行うことができる。
【００３２】
尚、本実施形態では、最初に第２循環路９の脱気運転を行っているが、第１循環路８の脱気運転を最初に行い、その後で第２循環路９の脱気運転を行うことも可能である。但し、暖房放熱器２を含む第２循環路９の総内容積は第１循環路８に比し遥かに大きく、第２循環路９の脱気運転中に第２循環路９からシスターン７に多量の空気が押し出され、その一部が第１循環路８に侵入する可能性がある。このことを考慮すると、本実施形態の如く第２循環路９の脱気運転完了後に第１循環路８の脱気運転を行うことが望ましい。即ち、第２循環路９の脱気運転中に第２循環路９から押し出された空気の一部が第１循環路８に侵入しても、その後の第１循環路８の脱気運転で第１循環路８内に空気は残らなくなる。
【００３３】
以上、本発明の実施形態を図面を参照して説明したが、本発明は実施形態のものに限定されない。例えば、上記実施形態では、熱交換器５を主熱交換器５１と副熱交換器５２とで構成しているが、副熱交換器５２は省略しても良い。また、上記実施形態では、第１と第２の両循環ポンプ１０，１１を共にＤＣポンプで駆動される流量可変式ポンプで構成しているが、コストダウンを図るため、第２循環ポンプ１１をＡＣモータで駆動される定流量ポンプで構成することも可能である。
【図面の簡単な説明】
【００３４】
【図１】本発明の実施形態の温水暖房システムの構成を示す説明図。
【図２】実施形態の温水暖房システムで実行する脱気運転制御の内容を示すフロー図。
【符号の説明】
【００３５】
１…熱源機、２…暖房放熱器、４…バーナ、５…熱交換器、７…シスターン、８…第１循環路、９…第２循環路、１０…第１循環ポンプ、１１…第２循環ポンプ、１４…コントローラ(制御手段)。
【図１】
2006329541.tif 000003
【図２】
2006329541.tif 000004